(57)【要約】【課題】    共通の光源２を用いて、指針３の観察者側を発光させると共に指針３の観察者側を除いた領域からは指針３観察者側と異なる色の光を出射する構成の指示計器１において、指針３全体の発光色を鮮明にし、見栄えを向上させる指示計器１を提供すること。【解決手段】    指示計器１は、光源２と、導光部材からなり第一の発光部１４と第二の発光部１５とを有する指針と、を備え、前記第一の発光部１４は、前記指針３の観察者側に設けられ前記光源２から入射する光を異なる発光色に変えて出射する色変更層１６を有し前記第二の発光部１５は、前記指針３の先端に設けられ前記第一の発光部１４の発光色とは異なる発光色の光を外方に出射する。【選択図】図２
2006337094.tif 000002
【特許請求の範囲】
【請求項１】
光源と、
導光部材からなり第一の発光部と第二の発光部とを有する指針と、
を備え、
前記第一の発光部は、前記指針の観察者側に設けられ前記光源から入射する光を異なる発光色に変えて出射する色変更層を有し、
前記第二の発光部は、前記指針の観察者側を除く領域に設けられ前記第一の発光部の発光色とは異なる発光色の光を外方に出射することを特徴とする指示計器。
【請求項２】
前記第二の発光部は、前記指針の先端に設けられることを特徴とする請求項１に記載の指示計器。
【請求項３】
前記第二の発光部から出射される光は、前記指針の移動領域外周に設けられる反射部材で反射することを特徴とする請求項２に記載の指示計器。
【請求項４】
前記第二の発光部は、前記指針の非観察者側に設けられることを特徴とする請求項１に記載の指示計器。
【請求項５】
前記第二の発光部から出射される光は、前記指針の非観察者側に設けられる文字板を照射することを特徴とする請求項４に記載の指示計器。
【請求項６】
前記光源は、前記第二の発光部から出射される光と同じ発光色で発光することを特徴とする請求項１に記載の指示計器。
【請求項７】
前記色変更層は、入射する光を所定色に変換する色変換層からなり、前記色変換層の観察者側に発色層を備えることを特徴とする請求項１に記載の指示計器。
【発明の詳細な説明】
【技術分野】
【０００１】
本発明は、車両等に搭載する指示計器に関するものであって、特に指針が文字板に設けられる指標を移動指示することによって、車両の速度やエンジンの回転数等の車両情報を示す指示計器に関するものである。
【背景技術】
【０００２】
特許文献１に開示される指示計器は、導光部材からなる指針と、指針の回動中心下部に設けられる光源と、指針全体を覆う指針キャップと、指針の長手方向に沿って指針キャップの表示面側に設けられるスリットと、指針キャップの先端に設けられる孔とからなり、回動中心で受光した光をスリットと孔から外方に向けて出射する構造を備えた指針を備える。このような指針は、指針全体を覆うように設ける指針キャップによって光漏れを抑制することで指針の先端から出射する光の光量を確保している。また、指針の先端に光透過性の着色フィルムを設けることで、光源と異なる色の光を指針の先端から出射することができる。
【特許文献１】特開２０００−３２９５９０号公報
【０００３】
また、特許文献２に開示される指示計器は、青色発光のＬＥＤ（発光ダイオード）と、導光部材からなり非表示面側（文字板側）に青色の光で励起する蛍光体を有する指針を備え、指針を白色で発光させる構成を備える。このような構成の指示計器は、光源の発光色とは異なった色で指針を発光させることができると共に、高価な白色ＬＥＤを用いることなく、指針を白色発光させることができるので、コストを抑制することができる。
【特許文献２】特開２００１−２０１３７２号公報
【発明の開示】
【発明が解決しようとする課題】
【０００４】
しかしながら、共通の光源を用いて、指針全体を発光させると共に指針先端から光を出射し、指針全体の発光色と先端からの出射光の発光色とを異ならせる特許文献１に開示される構成において、光源から入射した光の色を指針の非観察者側で変換させる特許文献２に開示される構成を適用した場合、指針の導光部内には、指針の非観察者側で色変換され反射して表示面側に進行する白色光と、光源の発光色のまま先端から出射される青色光とが混在することになるので、指針の発光色は白色と青色とが混色し、不鮮明となり、見栄えが良くないという問題があった。
【０００５】
また、共通の光源を用いて、指針の観察者側を発光させると共に、指針の非観察者側から光を外方（文字板等）に照射して奥行き感・立体感のあるデザイン性，見栄えに優れた指示計器とするためには、特許文献１及び特許文献２に開示される構成では、指針は、観察者側を除いた領域から観察者側と異なる発光色の光を照射することができないという問題があった。
【０００６】
本発明は、この点に鑑みてなされたもので、共通の光源を用いて、指針の観察者側を発光させると共に指針の観察者側を除いた領域から観察者側とは異なる色の光を出射する構成の指示計器において、指針全体の発光色を鮮明にし、見栄えを向上させる指示計器を提供することを目的とする。
【課題を解決するための手段】
【０００７】
本発明は、前述した課題を解決するため、光源と、導光部材からなり第一の発光部と第二の発光部とを有する指針と、を備え、前記第一の発光部は、前記指針の観察者側に設けられ前記光源から入射する光を異なる発光色に変えて出射する色変更層を有し、前記第二の発光部は、前記指針の観察者側を除く領域に設けられ前記第一の発光部の発光色とは異なる発光色の光を外方に出射する。
【０００８】
また本発明は、請求項２に記載のように、前記第二の発光部は、前記指針の先端に設けられる。
【０００９】
また本発明は、請求項３に記載のように、前記第二の発光部から出射される光は、前記指針の移動領域外周に設けられる反射部材で反射する。
【００１０】
また本発明は、請求項４に記載のように、前記第二の発光部は、前記指針の非観察者側に設けられる。
【００１１】
また本発明は、請求項５に記載のように、前記第二の発光部から出射される光は、前記指針の非観察者側に設けられる文字板を照射する。
【００１２】
また本発明は、請求項６に記載のように、前記光源は、前記第二の発光部から出射される光と同じ発光色で発光する。
【００１３】
また本発明は、請求項７に記載のように、前記色変更層は、入射する光を所定色に変換する色変換層からなり、前記色変換層の表示面側に発色層を備える。
【発明の効果】
【００１４】
本発明は、指針の観察者側に色変更層を設けることにより、共通の光源を用いて、指針の観察者側を発光させると共に指針の観察者側を除いた部分から観察者側とは異なる色の光を出射する構成の指示計器であっても指針全体の発光色を鮮明とし、見栄えを向上させることができる。
【発明を実施するための最良の形態】
【００１５】
以下、添付図面に基づいて、本発明を適用した指示計器の実施形態を説明する。
【００１６】
図１から図２は、本発明の第一の実施形態を示す。図１は、指示計器の正面図であり、図２は、図１のＡ−Ａ断面図である。
【００１７】
本実施形態による指示計器１は、図１及び図２に示すように、光源２と、指針３と、文字板４と、見返し部材５と、をケース６に収容してなり、指針３と文字板４との対比判読によるアナログ表示を用いて車両の速度を示す。
【００１８】
光源２は、後に詳述する回路基板７に実装されるトップビュータイプの発光ダイオードであり青色に発光し、指針３を照明する。
【００１９】
指針３は、アクリルやポリカーボネイト等の透光性材料からなり、後で詳述する回路基板７の背面に設けられた駆動源８の中央から延びる駆動軸９に設けられ、駆動軸９の回動に伴って回動してなる。指針３は、駆動軸９が挿入され、光源２の光を受光する回動中心部１０と、回動中心部１０から指標部２０方向に延び、透光性材料が露出する指針部１１とを備える。回動中心部１０は、受光した光を指針部１１に反射する反射面１２を備え、遮光性の指針キャップ１３によって覆われる。
【００２０】
指針部１１は、その観察者側に第一の発光部１４を備え、その先端に第二の発光部１５を備える。
【００２１】
第一の発光部１４は、青色ＬＥＤの光で励起する蛍光体からなる色変換層（色変更層）１６と発色層１７とからなる。
【００２２】
色変換層１６は、ＹＡＧ（Ｙｔｔｒｉｕｍ・Ａｌｕｍｉｎｉｕｍ・Ｇａｒｎｅｔ）系蛍光体入りの樹脂シートであり、指針部１１に貼付されてなる。ＹＡＧ系蛍光体は、青色ＬＥＤの波長成分の一部を長波長光に変換することで元々の青色成分と長波長成分との混合により白色の発光色とするものである。青色（第一の色調）で発光する光L１は、指針部１１内を進み色変換層１６を透過すると白色（第二の色調）の光L２となって発光する。  
【００２３】
なお、色変換層１６は、指針部１１観察者側を構成する透光性樹脂にＹＡＧ系の蛍光体を混入させることで形成してもよく、また、印刷や塗装等によって設けるものであってもよい。
【００２４】
発色層１７は、色変換層１６上であって、指針３（指針部１１）観察者側最前面にホットスタンプ等によって設けられる透過性の白色印刷層である。指針３は、昼間等バックライトを用いず外光による反射によって表示される場合には、この発色層１７によって白色で視認される。
【００２５】
第二の発光部１５は、指針３（指針部１１）の先端に設けられ、光源２から受光し青色（第一の色調）で発光する光L３を外方に向かって出射する。指針３は、先端から光を出射しない場合には、先端からの光漏れを防止するために、指針部１１を外方に向かうにつれて先細り形状に設定するが、本実施形態においては、先端部分の断面は先端から光を出射しない場合の指針３先端の断面よりも大きく設定し、先端からの出射光L３の光量を確保する。第二の発光部１５から出射され青色に発光する光L３は、後に詳述する指標部２０に沿って設けられ、指針３の回動領域外周において第二の発光部１５と対向する反射部１８で反射される。
【００２６】
以上のような指針構造によって光源２から受光する青色（第一の色調）を備える光L１のうち、観察者側に進む光は、色変換層１６を透過して白色（第二の色調）発光の透過光L２となり第一の発光部１４を発光させ、指針３の先端に向かって進む光は、光源２の青色（第一の色調）の発光色が維持されて第二の発光部１５から出射される光Ｌ３となる。本発明は、色変換層１６を指針３の観察者側に設けているため、指針部１１内で混色が起きることなく、色変換層１６を透過した光L２の鮮明な白色（第二の色調）で第一の発光部１４を利用者は視認することができ、指示計器１の見栄えを向上させる。
【００２７】
駆動源８は、ステッピングモータや交差コイル等からなり、後に詳述する回路基板７の背面に設けられる。駆動源８は、駆動源８から回路基板７を貫通して文字板４方向に延びる駆動軸９を有し、駆動軸９の先端には、指針３の回動中心部１０が固定される。  
【００２８】
文字板４は、合成樹脂等からなる透光性部材に、例えばメタリックの遮光性インクが塗布されてなる背景部１９と、白色系の透過性インクで形成されてなる指標部２０と、を備え、その観察者側には指針３が回動する。
【００２９】
指標部２０は、車両の速度を示す指標となる０から１６０の数字２１と、この数字に対応する目盛２２とによって構成され、２０刻みで円弧状に付されてなり、指針３指示される。
【００３０】
見返し部材５は、黒色の合成樹脂等からなり、中央に文字板４を臨む開口部２３が設けられる。見返し部材５は、文字板４の観察者側に所定の間隔を隔てて設けられており、開口部２３の縁には文字板４に垂れ下がり、断面が略すり鉢状となるように傾斜し、第二の発光部１５（指針３先端）と対向する反射部（反射部材）１８を備える。反射部１８は、その表面に光を反射する金属からなる反射面２４が設けられている。反射部１８は、後で詳述する指針３の先端から出射された光Ｌ３を表示方向に反射する。利用者は、指針３の回動領域外周を囲むように円弧状に設けられる反射部１８上を指針３の指示方向に位置する青色のポイント発光部２５が指針３の回動と共に弧を描くように移動するのを視認する。
【００３１】
なお、本実施形態においては、見返し部材５に反射部１８を設けるものであったが、反射部１８は指針３の移動領域外周に単体で円弧状に設けるものでもよく、また、指針３の回動に伴って先端から出射される光Ｌ３が反射してポイント発行部２５として利用者に視認できるように設けられるものであればよく、形状及び部材は任意である。
【００３２】
回路基板７は、ガラスエポキシ樹脂等からなる硬質の基板であり、その背面に駆動源８が実装され、前面にはＬＥＤからなる複数の光源２が実装されている。
【００３３】
ケース６は、合成樹脂からなり、回路基板７の背面側を覆う白色材料と、観察者側前面を覆う透明材料とからなり、指針３、文字板４，駆動源８及び回路基板７等の指示計器１の主な構成要素を収容するものである。
【００３４】
以上の構成からなる本実施形態の指示計器１は、共通の光源２を用いて、光源２とは異なる発光色の光Ｌ２で第一の発光部１４を発光させると共に、指針３全体と異なる発光色の光Ｌ３を第二の発光部（指針３先端）から出射する構成の指示計器１において、指針３の観察者側に色変換層１６を設けることで、指針３全体の発光色を鮮明とし、見栄えを向上させることができる指示計器１を提供することを可能とする。
【００３５】
このように本発明の指示計器１は、指針３全体の発光色を鮮明とし、見栄えを向上させることができる。
【００３６】
また、本発明は、第二の発光部１５と光源２の発光色を同じく設定することによって、光源２の発光色を第二の発光部１５における所定の発光色に変換させる手段を講じる必要がない。
【００３７】
また、本発明は、反射部（反射部材）１８に第二の発光部１５からの出射光Ｌ３を反射させることで、利用者は、指針３自体及び反射部１８上のポイント発光部２５によって指示情報を読み取ることができる。
【００３８】
また、本発明は、色変換層１６の観察者側に発色層１７を備えることで、バックライト照明を行わない昼間等に外光によって指針３を視認する際には、指針３を発色層１７によって視認することができる。
【００３９】
なお、本実施形態において、色変換層１６に蛍光体を用いたが、特定の波長のみを透過させるカラーフィルタや着色フィルム等を用いてもよい。
【００４０】
また、本実施形態において、光源２には、青色発光のＬＥＤを用いたが、光源２及びその発光色は任意である。第二の発光部１５の発光色を色変換層１６や着色フィルム等を用いて光源２の発光色と異ならせてもよい。
【００４１】
また、本実施形態において、第二の発光部は、指針の先端に設けるものであったが、本発明においては、指針の非観察者側（文字板側及び側面）に設けることが考えられる（第二の実施形態）。この場合には、指針は、指針の非観察者側に設けられる第二の発光部から外方に向かって光を照射し、メタリック等反射機能を備えた文字板を照明する。第二の実施形態において、青色発光の光源を用いて、指針を第一の発光部で白色発光とした場合には、観察者は、青色の背景（文字板等）上を浮遊するように回動する白色発光指針を視認する。
【００４２】
また、第二の発光部を、指針先端及び指針非観察者側の両方に設けるものであってもよい。
【図面の簡単な説明】
【００４３】
【図１】第一の実施形態による指示計器１の正面図。
【図２】図１のＡ−Ａ断面図。
【符号の説明】
【００４４】
１  指示計器
２  光源
３  指針
１４  第一の発光部
１５  第二の発光部
１６  色変更層（色変換層）
１８  反射部材（反射部）
１７  発色層
【図１】
2006337094.tif 000003
【図２】
2006337094.tif 000004